(57)【要約】【課題】ＰＳＡ方式の液晶表示装置における表示のざらつきの発生を防止し得る製造方法を提供する。【解決手段】本発明による液晶表示装置の製造方法は、液晶分子３１および重合性組成物を含む液晶層３０を用意する工程と、液晶層３０に所定の電圧が印加された状態で重合性組成物を重合することによって配向制御層３２を形成する工程とを含み、配向制御層３２を形成する工程において、走査信号によって薄膜トランジスタ１３のオンとオフとを切り替え、薄膜トランジスタ１３がオン状態の時に、信号配線１５から画素電極１２に印加電圧を供給し、薄膜トランジスタ１３がオフ状態の時には、画素電極１２に印加電圧を保持するとともに、信号配線１５に対向電極２２と実質的に同じ基準電位を与える。【選択図】図６
2010025988.tif 000002
【特許請求の範囲】
【請求項１】
複数の画素のそれぞれの中に配置された画素電極、前記画素電極に電気的に接続された薄膜トランジスタ、前記薄膜トランジスタに走査信号を供給する走査配線、および前記薄膜トランジスタに表示信号を供給する信号配線を有する第１基板と、
前記画素電極に対向する対向電極を有する第２基板と、
前記第１基板と前記第２基板との間に設けられた液晶層と、を備え、
前記第１基板および前記第２基板の少なくとも一方と前記液晶層との間に垂直配向膜が形成されており、
前記垂直配向膜と前記液晶層との間に、前記液晶層に含まれる液晶分子の配向方向を規定するための配向制御層が形成された液晶表示装置の製造方法であって、
液晶材料および重合性組成物を含む前記液晶層を用意する工程と、
前記液晶層に所定の電圧が印加された状態で前記液晶層中の重合性組成物を重合することによって前記配向制御層を形成する工程と、を含み、
前記配向制御層を形成する工程において、前記走査信号によって前記薄膜トランジスタのオンとオフとを切り替え、前記薄膜トランジスタがオン状態の時に、前記信号配線から前記画素電極に印加電圧を供給し、前記薄膜トランジスタがオフ状態の時には、前記画素電極に前記印加電圧を保持するとともに、前記信号配線に前記対向電極と実質的に同じ基準電位を与える、液晶表示装置の製造方法。
【請求項２】
前記配向制御層を形成する工程において、前記走査信号に同期させて前記信号配線に正の電位と負の電位を交互に与えることにより、前記画素電極に正の電圧と負の電圧を交互に保持させる、請求項１に記載の製造方法。
【請求項３】
前記配向制御層を形成する工程において、前記走査配線に前記薄膜トランジスタをオン状態にする第１の電位とオフ状態にする第２の電位とを交互に与え、
前記走査配線の電位が前記第２の電位である時、前記信号配線の電位と前記対向電極の電位とを実質的に等しくする、請求項１または２に記載の製造方法。
【請求項４】
前記配向制御層を形成する工程を実施する間、前記対向電極の電位が前記基準電位に実質的に一定に保たれる、請求項１から３のいずれかに記載の製造方法。
【請求項５】
前記基準電位が略０V（ボルト）またはアース電位である、請求項１から４のいずれかに記載の製造方法。
【請求項６】
前記配向制御層が、前記画素電極と前記対向電極との間に電圧が印加されていない状態において、前記画素電極の上の液晶分子を前記第１基板の面に垂直な方向から傾いた状態に維持し、前記信号配線の上の液晶分子を前記第１基板の面にほぼ垂直に維持する機能を有するように形成される、請求項１から５のいずれかに記載の製造方法。
【請求項７】
前記複数の画素のそれぞれは、
前記画素電極、前記液晶層、および前記対向電極によって形成される液晶容量と、
前記画素電極に電気的に接続された補助容量電極、絶縁層、および前記絶縁層を介して前記補助容量電極に対向する補助容量対向電極によって形成される補助容量とを有し、
前記補助容量対向電極は補助容量配線に電気的に接続されており、
前記配向制御層を形成する工程を実施する間、前記補助容量配線の電位が前記対向電極の電位と実質的に同じ電位に保たれる、請求項１から６のいずれかに記載の製造方法。
【請求項８】
前記配向制御層が、前記画素電極と前記対向電極との間に電圧が印加されていない状態において、前記画素電極の上の液晶分子を前記第１基板の面に垂直な方向から傾いた状態に維持し、前記補助容量配線の上の液晶分子を前記第１基板の面にほぼ垂直に維持する機能を有するように形成される、請求項７に記載の製造方法。
【請求項９】
前記重合性組成物が光重合性を有し、
前記配向制御層を形成する工程が前記液晶層に光を照射することによって実行される、請求項１から８のいずれかに記載の製造方法。
【請求項１０】
複数の画素のそれぞれの中に配置された画素電極、前記画素電極に電気的に接続された薄膜トランジスタ、前記薄膜トランジスタに走査信号を供給する走査配線、前記薄膜トランジスタに表示信号を供給する信号配線、および補助容量配線を有する第１基板と、
前記画素電極に対向する対向電極を有する第２基板と、
前記第１基板と前記第２基板との間に設けられた液晶層と、を備え、
前記複数の画素のそれぞれは、前記画素電極に電気的に接続された補助容量電極、絶縁層、および前記絶縁層を介して前記補助容量電極に対向する補助容量対向電極によって形成される補助容量を有し、
前記第１基板は、前記補助容量対向電極に電気的に接続された補助容量配線を有し、
前記第１基板および前記第２基板の少なくとも一方と前記液晶層との間に垂直配向膜が形成されており、
前記垂直配向膜と前記液晶層との間に、前記液晶層に含まれる液晶分子の配向方向を規定するための配向制御層が形成された液晶表示装置の製造方法であって、
液晶材料および重合性組成物を含む前記液晶層を用意する工程と、
前記液晶層に所定の電圧が印加された状態で前記液晶層中の重合性組成物を重合することによって前記配向制御層を形成する工程と、を含み、
前記配向制御層を形成する工程において、前記走査信号によって前記薄膜トランジスタのオンとオフとを切り替え、前記薄膜トランジスタがオン状態の時に、前記信号配線から前記画素電極に印加電圧を供給し、
前記配向制御層を形成する工程を実施する間、前記補助容量配線の電位が前記対向電極の電位と実質的に同じ電位に保たれる、製造方法。
【請求項１１】
複数の画素のそれぞれの中に配置された画素電極、前記画素電極に電気的に接続された薄膜トランジスタ、前記薄膜トランジスタに走査信号を供給する走査配線、および前記薄膜トランジスタに表示信号を供給する信号配線を有する第１基板と、
前記画素電極に対向する対向電極を有する第２基板と、
前記第１基板と前記第２基板との間に設けられた液晶層と、を備え、
前記第１基板および前記第２基板の少なくとも一方と前記液晶層との間に垂直配向膜が形成されており、
前記垂直配向膜と前記液晶層との間に、前記液晶層に含まれる液晶分子の配向方向を規定するための配向制御層が形成されており、
前記画素電極と前記対向電極との間に電圧が印加されていない状態において、前記画素電極の上の液晶分子は前記配向制御層によって前記第１基板の面に垂直な方向から傾いた状態に維持され、前記信号配線の上の液晶分子は前記第１基板の面にほぼ垂直に維持されている、液晶表示装置。
【請求項１２】
前記配向制御層が、前記画素電極と前記対向電極との間に電圧が印加されていない状態において、前記画素電極の上の液晶分子を前記第１基板の面に垂直な方向から傾いた状態に維持し、前記信号配線の上の液晶分子を前記第１基板の面にほぼ垂直に維持する機能を有する、請求項１１に記載の液晶表示装置。
【請求項１３】
前記複数の画素のそれぞれは、前記画素電極に電気的に接続された補助容量電極、絶縁層、および前記絶縁層を介して前記補助容量電極に対向する補助容量対向電極によって形成される補助容量を有し、
前記第１基板は、前記補助容量対向電極に電気的に接続された補助容量配線を有し、
前記画素電極と前記対向電極との間に電圧が印加されていない状態において、前記補助容量配線の上の液晶分子は前記第１基板の面にほぼ垂直に維持されている、請求項１１または１２に記載の液晶表示装置。
【請求項１４】
前記配向制御層が、前記画素電極と前記対向電極との間に電圧が印加されていない状態において、前記画素電極の上の液晶分子を前記第１基板の面に垂直な方向から傾いた状態に維持し、前記補助容量配線の上の液晶分子を前記第１基板の面にほぼ垂直に維持する機能を有する、請求項１３に記載の液晶表示装置。
【請求項１５】
複数の画素のそれぞれの中に配置された画素電極、前記画素電極に電気的に接続された薄膜トランジスタ、前記薄膜トランジスタに走査信号を供給する走査配線、および前記薄膜トランジスタに表示信号を供給する信号配線を有する第１基板と、
前記画素電極に対向する対向電極を有する第２基板と、
前記第１基板と前記第２基板との間に設けられた液晶層と、を備え、
前記複数の画素のそれぞれは、前記画素電極に電気的に接続された補助容量電極、絶縁層、および前記絶縁層を介して前記補助容量電極に対向する補助容量対向電極によって形成される補助容量を有し、
前記第１基板は、前記補助容量対向電極に電気的に接続された補助容量配線を有し、
前記第１基板および前記第２基板の少なくとも一方と前記液晶層との間に垂直配向膜が形成されており、
前記垂直配向膜と前記液晶層との間に、前記液晶層に含まれる液晶分子の配向方向を規定するための配向制御層が形成されており、
前記画素電極と前記対向電極との間に電圧が印加されていない状態において、前記画素電極の上の液晶分子は前記配向制御層によって前記第１基板の面に垂直な方向から傾いた状態に維持され、前記補助容量配線の上の液晶分子は前記第１基板の面にほぼ垂直に維持されている、液晶表示装置。
【請求項１６】
前記配向制御層が、前記画素電極と前記対向電極との間に電圧が印加されていない状態において、前記画素電極の上の液晶分子を前記第１基板の面に垂直な方向から傾いた状態に維持し、前記補助容量配線の上の液晶分子を前記第１基板の面にほぼ垂直に維持する機能を有する、請求項１５に記載の液晶表示装置。
【発明の詳細な説明】
【技術分野】
【０００１】
本発明は、液晶表示装置の製造方法に関し、特に、ＰＳＡ方式の液晶表示装置の製造方法に関する。
【背景技術】
【０００２】
近年、パーソナルコンピュータのディスプレイや携帯情報端末機器の表示部に用いられる表示装置として、薄型軽量の液晶表示装置が利用されている。しかしながら、従来のツイストネマチック型（ＴＮ型）やスーパーツイストネマチック型（ＳＴＮ型）の液晶表示装置は、視野角が狭いという欠点を有しており、それを解決するために様々な技術開発が行われている。
【０００３】
視野角特性が改善された液晶表示装置として、垂直配向型の液晶層を備えた配向分割型液晶表示装置が知られている。このような液晶表示装置は、ＶＡ（Vertical Alignment）モードの液晶表示装置と呼ばれる。ＶＡモードの１つとして、特許文献１には、ＭＶＡ（Multi-domain Vertical Alignment）モードが開示されている。ＭＶＡモードでは、液晶層を介して対向する一対の基板のそれぞれに、液晶分子の配向を規制する配向規制構造が設けられる。配向規制構造は、具体的には、凸部や、電極に形成されたスリットである。凸部やスリットのような配向規制構造が設けられていることにより、液晶層に電圧が印加されたときに、液晶分子の傾斜する方位が互いに異なる複数の領域が形成されるので、視野角特性が向上する。
【０００４】
また、特許文献２には、他のＶＡモードとして、ＣＰＡ（Continuous Pinwheel Alignment）モードが提案されている。ＣＰＡモードでは、液晶層を介して対向する一対の電極の一方に開口部や切欠き部を形成し、開口部や切欠き部上に生成される斜め電界を用いて液晶分子を放射状に傾斜配向させることによって、広視野角を実現する。
【０００５】
さらに、特許文献３には、ＣＰＡモードにおける液晶分子の放射状傾斜配向を安定化させる技術が開示されている。この技術によれば、一方の基板に設けた配向規制構造（斜め電界を生成する電極の開口部や切欠き部）によって形成される放射状傾斜配向が、他方の基板に設けた配向規制構造（例えば凸部）によって安定化される。
【０００６】
一方、液晶分子のプレチルト角およびプレチルト方向を規定するための配向制御層（配向維持層）として、ポリマー構造物を形成する方式が特許文献４、特許文献５、特許文献６、特許文献７などに提案されている。この方式はＰＳＡ（Polymer-Sustained Alignment）方式と呼ばれる。ポリマー構造物は、予め液晶層に混入しておいた重合性組成物を光重合や熱重合することによって形成される。このようなポリマー構造物をＶＡモードの液晶表示装置に設けることにより、配向の安定性や応答特性を向上させることができる。
【特許文献１】特開平１１−２４２２２５号公報
【特許文献２】特開２００３−４３５２５号公報
【特許文献３】特開２００２−２０２５１１号公報
【特許文献４】特開２００２−２３１９９号公報
【特許文献５】特開２００３−１４９６４７号公報
【特許文献６】特開２００３−１７７４０８号公報
【特許文献７】特開２００３−３０７７２０号公報
【発明の開示】
【発明が解決しようとする課題】
【０００７】
ポリマー構造物を形成する工程（以下では「ＰＳＡ化工程」と呼ぶ。）は、液晶分子が垂直配向した状態ではなく、液晶層に所定の電圧を印加して液晶分子を傾斜配向させた状態で行われる。また、ＰＳＡ化工程における液晶層への電圧の印加は、液晶が分極しないように、印加電圧の極性が周期的に反転するように行われる（つまり交流駆動が行われる）。
【０００８】
ＰＳＡ化工程における電圧印加（交流駆動）の方法としては、（１）各画素に設けられた薄膜トランジスタ（ＴＦＴ）をオン状態にして画素電極の電位を固定しつつ、対向電極の電位を振動させる方法や、（２）ＴＦＴをオフ状態にして画素電極をフロート状態（電気的に浮遊した状態）にしつつ、対向電極の電位を振動させる方法がある。
【０００９】
まず、上記方法（１）の具体例を図９を参照しながら説明する。図９に示すＣＰＡモードの液晶表示装置５００は、各画素にＴＦＴ（不図示）が設けられたＴＦＴ基板５１０と、ＴＦＴ基板５１０に対向する対向基板５２０と、これらの間に設けられた垂直配向型の液晶層５３０とを備えている。対向基板５２０上には、液晶分子５３１に対する配向規制力を有し、液晶ドメインの配向中心を固定するための凸部５２３が設けられている。
【００１０】
図９（ａ）、（ｂ）、および（ｃ）に示すように、走査配線５１４からＴＦＴのゲート電極に＋１０Ｖのゲートオン電圧が印加されることによってＴＦＴはオン状態とされており、画素電極５１２には、信号配線（不図示）を介して０Ｖの電位が与えられている。このような状態で対向電極５２２の電位を＋４Ｖ（図９（ａ））と−４Ｖ（図９（ｂ））に振動させると、液晶層５３０に印加される電圧の極性が、対向電極５２２の電位の振動に同期して反転するので、交流駆動を行うことができる。
【００１１】
次に、上記方法（２）の具体例を図１０を参照しながら説明する。図１０（ａ）、（ｂ）、および（ｃ）に示すように、走査配線５１４からＴＦＴのゲート電極に−５Ｖのゲートオフ電圧が印加されることによってＴＦＴはオフ状態とされており、画素電極５１２はフロート状態（電気的に浮遊した状態）となっている。このような状態で対向電極５２２の電位を＋８Ｖ（図１０（ａ））と−８Ｖ（図１０（ｂ））に振動させると、画素電極５１２の電位も振動する。例えば液晶容量と補助容量ＣS（図中に模式的に回路記号で示している。）とが同じ容量値である場合には、画素電極５１２の電位は＋４Ｖ（図１０（ａ））と−４Ｖ（図１０（ｂ））に振動する。そのため、液晶層５３０に印加される電圧の極性が周期的に反転するので、交流駆動を行うことができる。
【００１２】
しかしながら、本願発明者の検討によれば、上記の方法（１）および（２）で液晶層５３０への電圧印加を行いながらＰＳＡ化工程を実行すると、次の理由により表示にざらつきが発生して表示品位が低下してしまうことがわかった。
【００１３】
図１１は、ＰＳＡ化工程において傾斜配向した１画素内の液晶分子５３１を、液晶表示装置の上面側から見た図である。図１１の（ａ）は液晶分子５３１の理想的な傾斜配向状態を表しており、（ｂ）および（ｃ）は上記方法（１）および（２）による、表示にざらつきを発生させ得る傾斜配向状態を模式的に表している。これらの図では、液晶分子５３１の傾斜配向を表すため、各液晶分子５３１を、対向電極５２２に近い部分がより大きく見えるように図示している（対向電極５２２に近い側の液晶分子５３１の端部を円にて示している）。
【００１４】
ＰＳＡ化工程では、１画素内の液晶分子５３１が、図１１（ａ）に示すように、凸部５２３を中心に一様に放射状に傾斜する状態（放射状傾斜配向）が理想的であり、これよって表示ムラの少ない広視野角の表示が実現される。しかし、上記方法（１）および（２）によって交流駆動を行う場合、図９および図１０に示したように、対向電極５２２には常に０Ｖではない電位が与えられるのに対し、信号配線５１６および補助容量配線５１８の電位は０Ｖに保たれるため、これら配線の上に位置する液晶分子５３１も傾斜配向する。ここで、信号配線５１６および補助容量配線５１８は隣り合う２つの画素の境界に沿って延びているので、これら配線の上の液晶分子５３１には、両画素からの相反する方向への配向規制力がほぼ均等に作用する（つまり、両画素からの配向規制力が相殺される）。したがって、これらの配線の上の液晶分子５３１は、図１１（ｂ）および図１１（ｃ）に示すように（補助容量配線５１８上の液晶分子５３１の図示は省略している）、信号配線５１６および補助容量配線５１８の延びる方向に沿った向きに配向することになる。
【００１５】
図１１（ｂ）は一対の信号配線５１６の上の液晶分子５３１がすべて信号配線５１６に沿って図の下向きに傾斜した状態を、また図１１（ｃ）は一対の信号配線５１６の一方の上の液晶分子５３１が下向きに傾斜し、他方の信号配線５１６の上の液晶分子５３１が図の上向きに配向した状態を、それぞれ表している。いずれも場合でも、信号配線５１６上の液晶分子５３１の傾斜配向に引きずられて、信号配線５１６の近傍（図中ａおよびｂで示す領域）の液晶分子５３１の配向方向が乱され、図１１（ａ）に示す理想的な傾斜配向状態は得られない。また、図示してはいないが、一つの信号配線５１６の上の液晶分子５３１が、信号配線５１６上の一点を境界として逆向きの傾斜配向（例えば図の上向きの傾斜配向と下向きの傾斜配向）をとる状態も起こり得、またその境界が移動することもあり得る。そのような場合も画素内の液晶分子５３１の配向が乱れ、理想的な傾斜配向状態は得られない。
【００１６】
このように乱れた傾斜配向がなされた状態でＰＳＡ化工程が行われると、形成されたポリマー構造物によって表示時に配向される液晶分子にも乱れが生じ、その結果、画素ごとに配向状態がばらついて、表示におけるざらつき（輝度の不均一）を発生させる。
【００１７】
さらに、上記方法（２）においては、ＰＳＡ化工程は、ＴＦＴをオフとし、画素電極５１２をフロート状態とした上で行われる。このため、例えば製造の初期段階で画素電極５１２に何らかのＤＣ電圧が印加された場合、ＰＳＡ化工程ではそのＤＣ電圧を重畳した状態でＡＣ電圧が印加され、所望の電圧とは異なる電圧でのポリマー化が行われてしまうとう問題がある。また、画素電極５１２に負のＤＣ電圧が重畳された状態でＡＣ駆動がなされた場合、走査配線５１４のオフ電位よりも画素電極５１２の電位が下がってしまうことも起こり得、その場合、ＴＦＴが導通されて所望の電圧とは全く異なる印加電圧によってポリマー化が行われる恐れがある。このような印加電圧によってＰＳＡ化が行われた液晶表示装置においては、表示時における液晶分子の配向異常が発生し、表示品質が低下する。
【００１８】
本発明は、上記問題に鑑みてなされたものであり、その目的は、ＰＳＡ方式の液晶表示装置に対して、表示のざらつきを低減させ、高品質の表示を提供し得る製造方法を提供することにある。
【課題を解決するための手段】
【００１９】
本発明による液晶表示装置の製造方法は、複数の画素のそれぞれの中に配置された画素電極、前記画素電極に電気的に接続された薄膜トランジスタ、前記薄膜トランジスタに走査信号を供給する走査配線、および前記薄膜トランジスタに表示信号を供給する信号配線を有する第１基板と、前記画素電極に対向する対向電極を有する第２基板と、前記第１基板と前記第２基板との間に設けられた液晶層と、を備え、前記第１基板および前記第２基板の少なくとも一方と前記液晶層との間に垂直配向膜が形成されており、前記垂直配向膜と前記液晶層との間に、前記液晶層に含まれる液晶分子の配向方向を規定するための配向制御層が形成された液晶表示装置の製造方法であって、液晶材料および重合性組成物を含む前記液晶層を用意する工程と、前記液晶層に所定の電圧が印加された状態で前記液晶層中の重合性組成物を重合することによって前記配向制御層を形成する工程と、を含み、前記配向制御層を形成する工程において、前記走査信号によって前記薄膜トランジスタのオンとオフとを切り替え、前記薄膜トランジスタがオン状態の時に、前記信号配線から前記画素電極に印加電圧を供給し、前記薄膜トランジスタがオフ状態の時には、前記画素電極に前記印加電圧を保持するとともに、前記信号配線に前記対向電極と実質的に同じ基準電位を与える。
【００２０】
ある実施形態では、前記配向制御層を形成する工程において、前記走査信号に同期させて前記信号配線に正の電位と負の電位を交互に与えることにより、前記画素電極に正の電圧と負の電圧を交互に保持させる。
【００２１】
ある実施形態では、前記配向制御層を形成する工程において、前記走査配線に前記薄膜トランジスタをオン状態にする第１の電位とオフ状態にする第２の電位とを交互に与え、前記走査配線の電位が前記第２の電位である時、前記信号配線の電位と前記対向電極の電位とを実質的に等しくする。
【００２２】
ある実施形態では、前記配向制御層を形成する工程を実施する間、前記対向電極の電位が前記基準電位に実質的に一定に保たれる。
【００２３】
ある実施形態では、前記基準電位が略０V（ボルト）またはアース電位である。
【００２４】
ある実施形態では、前記配向制御層が、前記画素電極と前記対向電極との間に電圧が印加されていない状態において、前記画素電極の上の液晶分子を前記第１基板の面に垂直な方向から傾いた状態に維持し、前記信号配線の上の液晶分子を前記第１基板の面にほぼ垂直に維持する機能を有するように形成される。
【００２５】
ある実施形態において、前記複数の画素のそれぞれは、前記画素電極、前記液晶層、および前記対向電極によって形成される液晶容量と、前記画素電極に電気的に接続された補助容量電極、絶縁層、および前記絶縁層を介して前記補助容量電極に対向する補助容量対向電極によって形成される補助容量とを有し、前記補助容量対向電極は補助容量配線に電気的に接続されており、前記配向制御層を形成する工程を実施する間、前記補助容量配線の電位が前記対向電極の電位と実質的に同じ電位に保たれる。
【００２６】
ある実施形態では、前記配向制御層が、前記画素電極と前記対向電極との間に電圧が印加されていない状態において、前記画素電極の上の液晶分子を前記第１基板の面に垂直な方向から傾いた状態に維持し、前記補助容量配線の上の液晶分子を前記第１基板の面にほぼ垂直に維持する機能を有するように形成される。
【００２７】
ある実施形態では、前記重合性組成物が光重合性を有し、前記配向制御層を形成する工程が前記液晶層に光を照射することによって実行される。
【００２８】
本発明による液晶表示装置の他の製造方法は、複数の画素のそれぞれの中に配置された画素電極、前記画素電極に電気的に接続された薄膜トランジスタ、前記薄膜トランジスタに走査信号を供給する走査配線、前記薄膜トランジスタに表示信号を供給する信号配線、および補助容量配線を有する第１基板と、前記画素電極に対向する対向電極を有する第２基板と、前記第１基板と前記第２基板との間に設けられた液晶層と、を備え、前記複数の画素のそれぞれは、前記画素電極に電気的に接続された補助容量電極、絶縁層、および前記絶縁層を介して前記補助容量電極に対向する補助容量対向電極によって形成される補助容量を有し、前記第１基板は、前記補助容量対向電極に電気的に接続された補助容量配線を有し、前記第１基板および前記第２基板の少なくとも一方と前記液晶層との間に垂直配向膜が形成されており、前記垂直配向膜と前記液晶層との間に、前記液晶層に含まれる液晶分子の配向方向を規定するための配向制御層が形成された液晶表示装置の製造方法であって、液晶材料および重合性組成物を含む前記液晶層を用意する工程と、前記液晶層に所定の電圧が印加された状態で前記液晶層中の重合性組成物を重合することによって前記配向制御層を形成する工程と、を含み、前記配向制御層を形成する工程において、前記走査信号によって前記薄膜トランジスタのオンとオフとを切り替え、前記薄膜トランジスタがオン状態の時に、前記信号配線から前記画素電極に印加電圧を供給し、前記配向制御層を形成する工程を実施する間、前記補助容量配線の電位が前記対向電極の電位と実質的に同じ電位に保たれる。
【００２９】
本発明による液晶表示装置は、複数の画素のそれぞれの中に配置された画素電極、前記画素電極に電気的に接続された薄膜トランジスタ、前記薄膜トランジスタに走査信号を供給する走査配線、および前記薄膜トランジスタに表示信号を供給する信号配線を有する第１基板と、前記画素電極に対向する対向電極を有する第２基板と、前記第１基板と前記第２基板との間に設けられた液晶層と、を備え、前記第１基板および前記第２基板の少なくとも一方と前記液晶層との間に垂直配向膜が形成されており、前記垂直配向膜と前記液晶層との間に、前記液晶層に含まれる液晶分子の配向方向を規定するための配向制御層が形成されており、前記画素電極と前記対向電極との間に電圧が印加されていない状態において、前記画素電極の上の液晶分子は前記配向制御層によって前記第１基板の面に垂直な方向から傾いた状態に維持され、前記信号配線の上の液晶分子は前記第１基板の面にほぼ垂直に維持されている。
【００３０】
ある実施形態では、前記配向制御層が、前記画素電極と前記対向電極との間に電圧が印加されていない状態において、前記画素電極の上の液晶分子を前記第１基板の面に垂直な方向から傾いた状態に維持し、前記信号配線の上の液晶分子を前記第１基板の面にほぼ垂直に維持する機能を有する。
【００３１】
ある実施形態において、前記複数の画素のそれぞれは、前記画素電極に電気的に接続された補助容量電極、絶縁層、および前記絶縁層を介して前記補助容量電極に対向する補助容量対向電極によって形成される補助容量を有し、前記第１基板は、前記補助容量対向電極に電気的に接続された補助容量配線を有し、前記画素電極と前記対向電極との間に電圧が印加されていない状態において、前記補助容量配線の上の液晶分子は前記第１基板の面にほぼ垂直に維持されている。
【００３２】
ある実施形態では、前記配向制御層が、前記画素電極と前記対向電極との間に電圧が印加されていない状態において、前記画素電極の上の液晶分子を前記第１基板の面に垂直な方向から傾いた状態に維持し、前記補助容量配線の上の液晶分子を前記第１基板の面にほぼ垂直に維持する機能を有する。
【００３３】
本発明による他の液晶表示装置は、複数の画素のそれぞれの中に配置された画素電極、前記画素電極に電気的に接続された薄膜トランジスタ、前記薄膜トランジスタに走査信号を供給する走査配線、および前記薄膜トランジスタに表示信号を供給する信号配線を有する第１基板と、前記画素電極に対向する対向電極を有する第２基板と、前記第１基板と前記第２基板との間に設けられた液晶層と、を備え、前記複数の画素のそれぞれは、前記画素電極に電気的に接続された補助容量電極、絶縁層、および前記絶縁層を介して前記補助容量電極に対向する補助容量対向電極によって形成される補助容量を有し、前記第１基板は、前記補助容量対向電極に電気的に接続された補助容量配線を有し、前記第１基板および前記第２基板の少なくとも一方と前記液晶層との間に垂直配向膜が形成されており、前記垂直配向膜と前記液晶層との間に、前記液晶層に含まれる液晶分子の配向方向を規定するための配向制御層が形成されており、前記画素電極と前記対向電極との間に電圧が印加されていない状態において、前記画素電極の上の液晶分子は前記配向制御層によって前記第１基板の面に垂直な方向から傾いた状態に維持され、前記補助容量配線の上の液晶分子は前記第１基板の面にほぼ垂直に維持されている。
【００３４】
ある実施形態では、前記配向制御層が、前記画素電極と前記対向電極との間に電圧が印加されていない状態において、前記画素電極の上の液晶分子を前記第１基板の面に垂直な方向から傾いた状態に維持し、前記補助容量配線の上の液晶分子を前記第１基板の面にほぼ垂直に維持する機能を有する。
【発明の効果】
【００３５】
本発明によれば、ＰＳＡ方式の液晶表示装置の配向制御層の形成工程において、画素電極の電位が信号配線から与えられた電位に保持されるため、液晶層に所望の電圧が印加された状態で配向制御層が形成される。このとき信号配線または補助容量配線に対向電極と実質的に同じ基準電位が与えられるので、信号配線または補助容量配線の上の液晶分子が基板面にほぼ垂直に配向する。したがって、配向制御層の形成時における画素電極上の液晶分子の配向の乱れが減少するので、配向制御層に理想的な配向制御機能を与えることができる。これにより、表示時の各画素における液晶分子の配向乱れが低減され、画素ごとの輝度特性のばらつきが減少するので、表示のざらつきが低減する。
【００３６】
また、本発明によれば、電圧無印加時に信号配線または補助容量配線の上の液晶分子が基板面にほぼ垂直に配向するので、画素電極上の液晶分子に乱れの少ないプレチルトを与えることが可能となる。これにより、表示時における液晶分子の配向乱れが低減され、各画素に一様な輝度特性を与えることが可能となるので、表示のざらつきが低減する。
【発明を実施するための最良の形態】
【００３７】
以下、図面を参照しながら本発明の実施形態を説明する。なお、本発明は以下の実施形態に限定されるものではない。
【００３８】
図１、図２および図３に、本実施形態におけるＣＰＡモードの液晶表示装置１００を示す。図１は、液晶表示装置１００の１つの画素に対応した領域を模式的に示す平面図である。図２は、図１中の２Ａ−２Ａ’線に沿った断面図であり、液晶層に電圧が印加されていない状態（しきい値電圧未満の電圧が印加されている状態）を示している。また、図３は、液晶表示装置１００の１つの画素の等価回路を示している。
【００３９】
液晶表示装置１００は、液晶表示パネル１００ａを備え、マトリクス状に配列された複数の画素を有している。液晶表示パネル１００ａは、アクティブマトリクス基板（第１基板）１０と、アクティブマトリクス基板１０に対向する対向基板（第２基板）２０と、アクティブマトリクス基板１０と対向基板２０との間に設けられた垂直配向型の液晶層３０とを含んでいる。
【００４０】
アクティブマトリクス基板１０は、各画素に配置された画素電極１２、画素電極１２に電気的に接続された薄膜トランジスタ（ＴＦＴ）１３、スイッチング素子であるＴＦＴ１３に走査信号を供給する走査配線（ゲートバスライン）１４、ＴＦＴ１３に表示信号を供給する信号配線（ソースバスライン）１５を有する。画素電極１２、ＴＦＴ１３、走査配線１４および信号配線１５は、透明基板（例えばガラス基板やプラスチック基板）１１上に設けられている。また、透明基板１１上には、補助容量配線１６も設けられている。
【００４１】
画素電極１２は、複数のサブ画素電極１２ａを有している。なお、本実施形態では、２つのサブ画素電極１２ａを有する画素電極１２を例示しているが、１つの画素電極１２に含まれるサブ画素電極１２ａの個数はこれに限定されるものではない。また、各サブ画素電極１２ａの形状も、例示しているような略長方形に限定されるものではなく、高い回転対称性を有する形状（略正方形や略円形、円弧状の角部を有する略矩形等）が好適に用いられる。
【００４２】
対向基板２０は、画素電極１２に対向する対向電極２２を有する。対向電極２２は、透明基板２１（例えばガラス基板やプラスチック基板）上に設けられている。画素電極１２が複数の画素のそれぞれに配置されているのに対し、対向電極２２は、典型的には、すべての画素電極１２に対向する１つの透明導電膜として形成される。また、ここでは図示していないが、典型的には、透明基板２１と対向電極２２との間にカラーフィルタが設けられている。そのため、対向基板２０はカラーフィルタ基板とも呼ばれる。
【００４３】
各画素は、図３に示すように、画素電極１２および対向電極２２と、これらの間に位置する液晶層３０とによって形成される液晶容量ＣLCを有している。また、各画素は、液晶容量ＣLCに電気的に並列に接続された補助容量ＣSを有している。補助容量ＣSは、画素電極１２に電気的に接続された補助容量電極１７、絶縁層１８および絶縁層１８を介して補助容量電極１７に対向する補助容量対向電極１９によって形成される。補助容量電極１７および補助容量対向電極１９を含む補助容量ＣSの具体的な構成には、公知の種々の構成を用いることができる。例えば、補助容量電極１７を信号配線１５と同じ金属層をパターニングすることによって形成して補助容量配線１６に重なるように配置し、補助容量配線１６の補助容量電極１７に重なる部分を補助容量対向電極１９とすることができる。
【００４４】
図２に示すように、アクティブマトリクス基板１０の液晶層３０側の表面には、垂直配向膜３３が設けられており、垂直配向膜３３の液晶層３０側の表面には配向制御層（配向維持層）であるポリマー構造物３２が設けられている。このような垂直配向膜３３は対向基板２０の液晶層３０側の表面にも設けられており、その垂直配向膜３３の液晶層３０側の表面にも配向制御層であるポリマー構造物３２が設けられているが、ここでは図示を省略している。また、典型的には、アクティブマトリクス基板１０および対向基板２０の外側に、それぞれ位相差板や偏光板が設けられる。
【００４５】
垂直配向型の液晶層３０は、負の誘電異方性を有する液晶分子３１を含み、必要に応じてさらにカイラル剤を含んでいる。液晶層３０内の液晶分子３１は、液晶層３０に電圧が印加されていないときに、垂直配向膜３３の表面に対してほぼ垂直に配向する。ただし、本実施形態では、後述する方法によってポリマー構造物３２が設けられているので、液晶分子３１は垂直配向膜３３の表面に対して厳密に垂直には配向していない。
【００４６】
図４および図５に、画素電極１２と対向電極２２との間に所定の電圧（しきい値電圧以上の電圧）が印加されたときの液晶分子３１の配向状態を示す。画素電極１２と対向電極２２との間に所定の電圧が印加されると、図４および図５に示すように、各サブ画素電極１２ａ上に液晶ドメインが形成される。液晶ドメイン内で液晶分子３１は放射状に傾斜した配向（放射状傾斜配向）をとる。
【００４７】
サブ画素電極１２ａごとに、放射状傾斜配向をとる液晶ドメインが形成されるのは、サブ画素電極１２ａが独立した島に近い外縁を有し、このサブ画素電極１２ａのエッジ部に生成される斜め電界の配向規制力が液晶分子３１に作用するからである。サブ画素電極１２ａのエッジ部に生成される電界は、サブ画素電極１２ａの中心に向かって傾斜し、液晶分子３１を放射状に傾斜配向させるように作用する。
【００４８】
また、本実施形態では、対向基板２０に、放射状傾斜配向を安定化させるための凸部２３が設けられている。凸部２３は、液晶ドメインの中心に対応する領域（つまり各サブ画素電極１２ａの中心に対応する領域）に配置されている。凸部２３は、透明な誘電体材料（例えば樹脂）から形成されている。なお、必ずしも凸部２３を設ける必要はなく、各画素内に設けられた複数の凸部２３の一部あるいはすべてを省略してもよい。また、凸部２３に代えて、他の配向規制構造（例えば対向電極２２に形成した開口部など）を設けてもよい。
【００４９】
さらに、液晶表示装置１００の液晶層３０は、図２中に模式的に示したように、液晶分子３１の配向方向を規定するためのポリマー構造物３２を含んでいる。ポリマー構造物３２は、液晶層３０を構成する液晶材料に重合性組成物（重合性を有するモノマーやオリゴマー）を予め混入しておき、この重合性組成物を光重合することによって垂直配向膜３３上に形成される。ポリマー構造物３２は液晶分子３１を配向させる配向規制力を有しており、ポリマー構造物３２周辺の液晶分子３１は、電圧無印加状態においても、電圧印加時の傾斜方向と同じ方向に配向（プレチルト）している。つまり、ポリマー構造物３２が形成されていることによって、液晶分子３１は、電圧無印加状態においても、電圧印加時の放射状傾斜配向と整合するようにプレチルト方位を規定されている。そのため、配向の安定性や応答特性が向上する。
【００５０】
本実施形態では、画素電極１２と対向電極２２との間に電圧が印加されていない状態において、画素電極１２の上の液晶分子３１は配向制御層であるポリマー構造物３２によってアクティブマトリクス基板１０（あるいは画素電極１２）の面に垂直な方向に対して傾いた状態に維持される。しかし、信号配線１５および補助容量配線１６の上の液晶分子は、これらの配線上のポリマー構造物３２によってアクティブマトリクス基板１０の面にほぼ垂直に維持される。したがって、これらの配線上の液晶分子３１により画素電極上の液晶分子３１のプレチルトが乱されることが減る。よって、表示時における液晶分子の配向乱れも低減され、各画素に一様な輝度特性を与えることが可能となる。
【００５１】
続いて、図６および図７を参照しながら、本実施形態における液晶表示装置１００の製造方法を説明する。
【００５２】
まず、図６（ａ）に示すように、液晶層３０中に重合性組成物を含む液晶表示パネル１００ａを用意する。アクティブマトリクス基板１０および対向基板２０のそれぞれは、公知の種々の方法を用いて形成することができる。重合性組成物としては、ＰＳＡ方式のポリマー構造物の形成に用いられる種々の材料（例えば特許文献７に開示されている材料）を用いることができる。
【００５３】
次に、図６（ｂ）に示すように、液晶表示パネル１００ａの液晶層３０に所定の電圧が印加された状態で、液晶層３０中の重合性組成物を重合することによって、ポリマー構造物３２を形成する。典型的には、重合性組成物は、光重合性を有しており、重合は、液晶層３０に光（具体的には紫外光）を照射することによって行われる。光の照射強度および照射時間は、用いる重合性組成物に応じて適宜設定される。なお、重合性組成物が熱重合性を有している場合には、加熱によって重合を行ってもよい。本実施形態における製造方法では、この工程（ＰＳＡ化工程）における液晶層３０への電圧印加の方法が従来と異なっている。以下、具体的に説明する。
【００５４】
まず、本実施形態の製造方法では、ＰＳＡ化工程において、信号配線１５に図７（ｃ）に示すような振動電圧が印加される。つまり、信号配線１５には、０Ｖ（あるいはグラウンド電位（ＧＮＤ））を基準として周期的に正負（例えば±４Ｖ）の電位が交互に与えられる。また、走査配線１４からＴＦＴ１３のゲート電極には、図７（ａ）に示すような、信号配線１５に印加される正負の電位に同期したゲートオン電圧（第１の電位）と、ゲートオフ電圧（第２の電位）とが交互に印加される。
【００５５】
ゲートオン電圧は例えば１０Ｖであり、ゲートオフ電圧は例えば−５Ｖである。１つのゲートオン電圧の印加時間は、例えば１ｍＳｅｃであり、１つのゲートオフ電圧の印加時間は、ゲートオン電圧の印加時間よりも長い、例えば１０ｍＳｅｃである。ゲートオフ電圧の印加時間はゲートオン電圧の印加時間の３倍以上であることが好ましい。
【００５６】
これは後述するように、信号配線１５上の液晶層を垂直に保つために、信号配線１５と対向電極２２との間に電圧が印加されている時間の割合を低くしておく必要があるためである。信号配線１５への印加電圧が±４Ｖである場合、電圧が印加されている時間と印加されていない時間の比が例えば１対３であると、信号配線１５上の液晶層への実効電圧はおよそ±１Ｖとなり、これは液晶配向の閾値電圧よりも低いので、信号線上の液晶分子が傾斜するという、望まない状態を回避することができる。信号配線１５の駆動電圧を大きくして処理時間の短縮化を図る場合などは、さらにオフの時間の比率を延ばすとともに、信号配線１５上の液晶分子に電圧が印加されていない時間を同時に延ばすことが好ましい。
【００５７】
このようなゲートオン電圧およびゲートオフ電圧からなる走査配線１４の走査信号に応じて薄膜トランジスタ１３のオンとオフとが切り替えられる。ＰＳＡ化工程において、補助容量配線１６および対向電極２２の電位は、図７（ｂ）に示すように、０Ｖ（またはＧＮＤ）である。
【００５８】
ゲート電極にゲートオン電圧が印加され薄膜トランジスタ１３がオン状態となった時、信号配線１５から画素電極１２に正の印加電圧が供給され、画素電極１２の電位は信号配線１５と同電位（例えば＋４Ｖ）となる。その後、ゲート電極にゲートオフ電圧が印加され薄膜トランジスタ１３がオフ状態となっている間、画素電極１２には正の印加電圧（例えば＋４Ｖ）が保持される。このとき、信号配線１５には対向電極２２と実質的に同じ基準電位である０Ｖ（ＧＮＤ）が与えられる。
【００５９】
薄膜トランジスタ１３が次にオン状態になった時、信号配線１５から画素電極１２には負の印加電圧（例えば−４Ｖ）が与えられ、その後薄膜トランジスタ１３がオフ状態となっている間、画素電極１２は負の印加電圧を保持する。このとき、信号配線１５には対向電極２２と実質的に同じ基準電位である０Ｖ（ＧＮＤ）が与えられる。
【００６０】
このように薄膜トランジスタ１３のオン・オフが繰り返されることにより、図７（ｄ）に示すように、画素電極１２には正の電圧と負の電圧が交互に周期的に保持される。つまり、画素電極１２には、周期的に変化する振動電圧が供給される。この間、対向電極２２の電位は０Ｖに保たれているので、液晶層３０には、図７（ｅ）に示すように、画素電極１２の電位に応じた周期的な振動電圧（例えば＋４Ｖと−４Ｖの間で変化する振動電圧）が印加される。
【００６１】
このようにして、図２に示したような、ポリマー構造物３２を含む液晶表示装置１００が得られる。本実施形態の製造方法によれば、ポリマー構造物３２を形成する工程（ＰＳＡ化工程）において、薄膜トランジスタ１３がオフ状態の時、画素電極１２と対向電極２２との間には液晶分子３１をアクティブマトリクス基板１０の面垂直方向から傾いた方向に配向させるための電位差が与えられるが、信号配線１５と対向電極２２との間の電位差は実質的にゼロとなるため、信号配線１５の上の液晶分子３１はアクティブマトリクス基板１０の面にほぼ垂直に配向する。また、ポリマー構造物３２を形成する間、補助容量配線１６の電位が対向電極２２の電位と実質的に同じ電位に保たれるので、補助容量配線１６の上の液晶分子３１もアクティブマトリクス基板１０の面にほぼ垂直に配向する。
【００６２】
このようにして形成されたポリマー構造物３２は、画素電極１２と対向電極２２との間に電圧が印加されていない状態において、画素電極１２の上の液晶分子３１をアクティブマトリクス基板１０の面に垂直な方向から傾いた状態に維持するとともに、信号配線１５および補助容量配線１６の上の液晶分子３１をアクティブマトリクス基板１０の面にほぼ垂直に維持する機能を有する。
【００６３】
ポリマー構造物３２の形成工程において、上述したように、信号配線１５および補助容量配線１６の上の液晶分子３１がほぼ垂直に配向しているので、ポリマー構造物３２の形成時における、信号配線１５近傍の液晶分子３１の、図１１（ｂ）および（ｃ）に示したような配向乱れが低減されるとともに、補助容量配線１６近傍の液晶分子３１の配向乱れも低減される。したがって、画素電極１２上の液晶分子３１の配向の乱れが低減された、図１１（ａ）に示したような理想的な傾斜配向状態に近い配向状態が得られる。また、このようにして形成されたポリマー構造物３２を有する液晶表示装置１００によって表示を行う場合、ポリマー構造物３２の配向規制力によって、液晶分子３１により乱れの少ない配向が与えられるので、画素ごとの配向状態がより均一な、ざらつきの少ない表示を行うことが可能となる。
【００６４】
なお、薄膜トランジスタ１３のオン・オフの１サイクルにおいて、オフ状態の時間をより長く設定することにより、信号配線１５の上の液晶分子３１をより垂直に配向させ、より乱れの少ない配向状態を得ることができる。したがって、薄膜トランジスタ１３のオンの時間は、信号配線１５から画素電極１２に所望の電圧を印加するために十分な時間のなかで、より短い時間に設定することが好ましい。
【００６５】
この電圧印加時間は、ＰＳＡ処理に必要な信号入力系統の配線の時定数によって決められ、例えばマザーガラス全体を処理するような場合には、大きな印加時間をとることが望ましく、例えば１ｍｓｅｃなどの長さが選択される。入力系統を多く取る事ができ、系統毎の時定数が低い場合には、例えば数十μｓｅｃ程度でも構わない。また、薄膜トランジスタ１３がオフの時間は、画素がその期間に渡って十分に電圧を維持できる長さを限界として設定され、ＰＳＡ処理時の照射光強度によって左右されるが、最長でも表示装置の使用時の電荷保持時間である１６．７ｍｓｅｃよりは短いことが好ましい。
【００６６】
図８（ａ）および（ｂ）に、図９および図１０に示した電圧印加方法（参考例）によりＰＳＡ化工程を行った場合と、本実施形態の電圧印加方法によりＰＳＡ化工程を行った場合とについて、液晶分子を傾斜配向させた状態の顕微鏡写真を示す。なお、２枚の偏光板は、クロスニコル状態（偏光軸が互いに直交する状態）に配置されている。この配置では、液晶分子が基板に対して垂直に配向している領域や、液晶分子が偏光板の偏光軸に平行または直交する方位に配向している領域は、黒く観察される。これに対し、液晶分子が偏光軸に対して傾斜した方位に配向している領域は、明るく観察され、液晶分子が偏光軸に対して４５°の角をなす方位に配向している領域は最も明るく観察される。
【００６７】
図９および図１０に示した電圧印加方法によりＰＳＡ化工程を行った場合には、図８（ａ）に示すように、一部の液晶ドメイン（図中の実線で囲まれた部分）と、他の液晶ドメインとで、明るい領域の分布が異なっている。これは、画素毎の液晶配向状態にばらつきが発生していることを示している。
【００６８】
これに対し、本実施形態の電圧印加方法によりＰＳＡ化工程を行った場合には、図８（ｂ）に示すように、複数の液晶ドメインにおいて明るい領域がほぼ同じように分布している。これは、画素毎の液晶配向状態がほぼ均一であることを示している。このように、本実施形態の製造方法によれば、ＰＳＡ方式の液晶表示装置において、表示のざらつきの発生が防止される。
【００６９】
なお、ＰＳＡ化工程における走査配線１４に与えられる電位（つまりＴＦＴ１３のゲート電極への印加電圧）は、液晶配向を大きく乱すような電界が生成されず、且つ、ＴＦＴ１３のオン・オフを切り替えるために十分な電位であればよく、例示した値に限定されることはない。また、信号配線１５、画素電極１２、対向電極２２、および補助容量配線１６に与えられる電位も、所望の液晶配向状態を得るために適当な電位であればよく、上述の値に限定されるものではない。
【００７０】
また、本実施形態においては、ポリマー構造物３２は、信号配線１５および補助容量配線１６の上の液晶分子３１をアクティブマトリクス基板１０の面にほぼ垂直に維持する機能を有するように形成された。しかし、信号配線１５と補助容量配線１６のどちらか一方の上の液晶分子３１を基板面にほぼ垂直に維持するようにポリマー構造物３２を形成する製造方法、およびそのようなポリマー構造物３２を備えた液晶表示装置も本願発明に含まれる。
【００７１】
また、本実施形態にはＣＰＡモードの液晶表示装置１００を用いたが、本発明はこれに限定されるものではない。本発明は、垂直配向型の液晶層を備え、液晶層に電圧が印加されたときに液晶分子の傾斜する方位が互いに異なる複数の領域が形成される（つまり配向分割型の）液晶表示装置に広く用いることができ、例えばＭＶＡモードの液晶表示装置にも好適に用いられる。
【産業上の利用可能性】
【００７２】
本発明によると、ＰＳＡ方式の液晶表示装置における表示のざらつきの発生を防止し得る製造方法が提供される。本発明の製造方法により製造された液晶表示装置は、携帯電話、ＰＤＡ、ノートＰＣ、モニタおよびテレビジョン受像機などの小型から大型までの液晶表示装置として好適に用いられる。
【図面の簡単な説明】
【００７３】
【図１】本発明の好適な実施形態における液晶表示装置１００を模式的に示す図であり、１つの画素に対応した領域を示す平面図である。
【図２】本発明の好適な実施形態における液晶表示装置１００を模式的に示す図であり、図１中の２Ａ−２Ａ’線に沿った断面図である。
【図３】本発明の好適な実施形態における液晶表示装置１００を模式的に示す図であり、１つの画素に対応した領域を示す等価回路図である。
【図４】液晶表示装置１００において液晶層に電圧が印加されたときの液晶分子の配向状態を模式的に示す平面図である。
【図５】液晶表示装置１００において液晶層に電圧が印加されたときの液晶分子の配向状態を模式的に示す断面図であり、図４中の５Ａ−５Ａ’線に沿った断面図である。
【図６】（ａ）および（ｂ）は、液晶表示装置１００の製造工程を模式的に示す工程断面図である。
【図７】液晶表示装置１００の製造工程において走査配線１４、補助容量配線１６、対向電極２２、信号配線１５、画素電極１２、および液晶層３０に印加される電位を表した図である。
【図８】（ａ）は、参考例の電圧印加方法によりＰＳＡ化工程を行った場合の配向状態を示す顕微鏡写真であり、（ｂ）は、本発明の好適な実施形態における電圧印加方法によりＰＳＡ化工程を行った場合の配向状態を示す顕微鏡写真である。
【図９】ＰＳＡ化工程において液晶層に電圧を印加する方法の第１の例（方法（１））を説明するための図である。
【図１０】ＰＳＡ化工程において液晶層に電圧を印加する方法の第２の例（方法（２））を説明するための図である。
【図１１】（ａ）は、液晶の理想的な配向状態を模式的に表した図であり、（ｂ）および（ｃ）は、配向乱れを含む配向状態を模式的に表した図である。
【符号の説明】
【００７４】
１０    アクティブマトリクス基板（第１基板）
１１    透明基板
１２    画素電極
１２ａ    サブ画素電極
１３    薄膜トランジスタ（ＴＦＴ）
１４    走査配線
１５    信号配線
１６    補助容量配線
１７    補助容量電極
１８    絶縁層
１９    補助容量対向電極
２０    対向基板（第２基板）
２１    透明基板
２２    対向電極
２３    凸部
３０    液晶層
３１    液晶分子
３２    ポリマー構造物（配向制御層）
３３    垂直配向膜
１００ａ    液晶表示パネル
１００    液晶表示装置
【図１】
2010025988.tif 000003
【図２】
2010025988.tif 000004
【図３】
2010025988.tif 000005
【図４】
2010025988.tif 000006
【図５】
2010025988.tif 000007
【図６】
2010025988.tif 000008
【図７】
2010025988.tif 000009
【図８】
2010025988.tif 000010
【図９】
2010025988.tif 000011
【図１０】
2010025988.tif 000012
【図１１】
2010025988.tif 000013